(57)【要約】【課題】携帯電話の利用者に自己啓発を促すことのできる自己啓発支援システムを提供する。【解決手段】インタ―ネットを含んで構成される通信ネットワークを利用して行われ、不特定多数の携帯電話３と、コンテンツの提供を行うコンテンツ提供機関とを含んで構成されるシステムであって、前記携帯電話３のディスプレイ５を鏡的に利用可能にするミラー化手段と、ミラー化された前記ディスプレイ５上に所定のメッセージ７を表示させるメッセージ表示手段とを備える。【選択図】        図４
2004178146.tif 000002
【特許請求の範囲】
【請求項１】
インタ―ネットを含んで構成される通信ネットワークを利用して行われ、不特定多数の携帯電話と、コンテンツの提供を行うコンテンツ提供機関とを含んで構成されるシステムであって、
前記携帯電話のディスプレイを鏡的に利用可能にするミラー化手段と、ミラー化された前記ディスプレイ上に所定のメッセージを表示させるメッセージ表示手段とを備えることを特徴とする自己啓発支援システム。
【請求項２】
前記ミラー化手段は、前記コンテンツ提供機関の管理するＷＥＢサイトから所定のアプリケーション・プログラムを前記携帯電話にダウンロードすることにより、前記ディスプレイを鏡的に利用可能にするものであることを特徴とする請求項１記載の自己啓発支援システム。
【請求項３】
前記メッセージ表示手段は、前記メッセージの１つとして、身だしなみをチェックするためのリストを表示させることを特徴とする請求項１又は２記載の自己啓発支援システム。
【請求項４】
前記メッセージ表示手段は、前記メッセージの１つとして、日毎に内容の変化する格言を表示させることを特徴とする請求項１又は２記載の自己支援システム。
【請求項５】
前記メッセージ表示手段は、前記メッセージの１つとして、その日のラッキータイムを表示させることを特徴とする請求項１又は２記載の自己啓発支援システム。
【発明の詳細な説明】
【０００１】
【発明の属する技術分野】
本発明は、インターネットを含む通信ネットワーク上で行われる携帯電話へのコンテンツ提供サービスに関するものである。
【０００２】
【従来の技術】
携帯電話を鏡として利用する発明として、携帯電話のディスプレイ、又はその他の個所に鏡的機能、又は鏡自体を備えるものがある（特許文献１及び２参照）。これにより、携帯電話の利用者は外出中や乗り物の中等においても違和感なく手軽に自分の姿を見ることができる。
【０００３】
また、インターネットや電子メールシステムを利用してパソコン等の利用者の生活習慣の改善を支援する発明として、各利用者それぞれの回答入力データに基づいて、運動、食事又は禁煙の生活習慣改善プログラムの働きかけのシナリオを作成し、そのシナリオに沿って電子メールとホームページによる情報提供を行うものがある（特許文献３参照）。
【０００４】
【特許文献１】
特開２００２−２４７１７５号公報
【特許文献２】
特開２００２−３１４６６６号公報
【特許文献３】
特開２００１−２２８３７号公報
【０００５】
【発明が解決しようとする課題】
自己啓発の一つの手段として、ミラートレーニング法がある。このミラートレーニング法とは、鏡に映る自分に向かって勇気付け自信付けるような言葉を語りかけることにより、自己の啓発を促すものであり、その効果の大きいことは周知のところである。本発明者らは、携帯電話の持ち運び易さ、インターネットサービスの利用し易さ等に着目し、携帯電話を用いて手軽にミラートレーニング法を実践できるようにすることを思案した。
【０００６】
そこで、本発明は、携帯電話の利用者に自己啓発を促すことのできる自己啓発支援システムを提供することを課題とする。
【０００７】
【課題を解決するための手段】
上記課題を解決するために、本発明は、インタ―ネットを含んで構成される通信ネットワークを利用して行われ、不特定多数の携帯電話と、コンテンツの提供を行うコンテンツ提供機関とを含んで構成される自己啓発支援システムであって、前記携帯電話のディスプレイを鏡的に利用可能にするミラー化手段と、ミラー化された前記ディスプレイ上に所定のメッセージを表示させるメッセージ表示手段とを備えるものである。
【０００８】
このシステムによれば、利用者は携帯電話のディスプレイに映る自分の顔を見ながら、自己啓発が促されるような内容のメッセージ（「笑顔ができていますか？」、「今日も一日元気でネ！」、「あなたは素敵！」、「今日もいい一日となります！」、「今日のラッキータイムは○○：○○！」等）を読むことができる。これにより、利用者は携帯電話を見ることができる状況にある時にはいつでも、ミラートレーニングを行うことができるようになる。また、上記メッセージとして、身だしなみをチェックするためのリスト、日替わりの格言等を表示させることも好ましい。
【０００９】
また、前記ミラー化手段は、前記コンテンツ提供機関の管理するＷＥＢサイトから所定のアプリケーション・プログラムを前記携帯電話にダウンロードすることにより、前記ディスプレイを鏡的に利用可能にするものであることが望ましい。そして、これに公知の課金システム等を合わせて利用することにより、コンテンツ提供機関は当該サービスの利用度に応じた利益を収集することができる。
【００１０】
【発明の実施の形態】
以下、添付した図面を参考にして本発明の実施の形態を説明する。図１に示すの自己啓発支援システム１は、本発明を実施するための全体的な構成を示す例であり、コンテンツ提供機関２と、不特定多数の携帯電話３と、インターネット、電話回線網等により構成される通信ネットワーク４とを含んで構成されている。
【００１１】
前記コンテンツ提供機関２は、インターネット上で開設されるＷＥＢサイトを管理・運営する機関であり、ＷＥＢサーバ、データベースサーバ等を備えて構成されている。前記ＷＥＢサイトは、前記携帯電話３からのアクセスにより閲覧可能なものであり、またこの携帯電話３の操作により、本システムを実行するために必要なアプリケーション・プログラムをダウンロードすることができるものである。
【００１２】
また、本発明の自己啓発支援システム１は、図２に示すように、ミラー化手段１０及びメッセージ表示手段１１を含んで構成される。このミラー化手段１０は、携帯電話３のディスプレイ５に利用者の顔が映し出されるように鏡的な機能を与えるものであり、携帯電話３に内蔵されるＣＰＵ、ＲＯＭ、ＲＡＭ等からなるマイクロコンピュータ、該マイクロコンピュータを制御するプログラム（前記ＷＥＢサイトからダウンロードしてきたアプリケーション・プログラムに含まれるミラー化専用プログラム）、携帯電話３の外観部に備えられるハード構成部品（カメラ６、ハーフミラー等）が複合的に機能することにより構成されるものである。
【００１３】
また、前記メッセージ表示手段１１は、前記ミラー化手段１０によりミラー化されたディスプレイ５上に、自己啓発を促すためのメッセージを表示させるものであり、携帯電話３に内蔵されるＣＰＵ、ＲＯＭ、ＲＡＭ等からなるマイクロコンピュータ、該マイクロコンピュータを制御するプログラム（前記ＷＥＢサイトからダウンロードしてきたアプリケーション・プログラムに含まれるメッセージ表示専用プログラム）、携帯電話３が備える文字表示機能（場合によっては電子メールシステム）が複合的に機能することにより構成されるものである。
【００１４】
上記構成の自己啓発支援システム１においては、図３に示すような流れによって当該サービスが実現される。先ずステップ１００において、携帯電話３から前記コンテンツ提供機関２の管理するＷＥＢサイトにアクセスし、次いでステップ１０１において、前記ＷＥＢサイトからこの携帯電話３に本システムのためのアプリケーション・プログラムをダウンロードする。そして、ステップ１０２において、利用者が携帯電話３を操作して本システムを実行するアプリケーションを起動させると、ステップ１０３において、この携帯電話３のディスプレイ５がミラー化すると共に、ステップ１０４において、該ディスプレイ５上にメッセージが表示される。
【００１５】
本システムの利用時における前記ディスプレイ５には、図４に示すように、利用者の顔が映し出されると共にメッセージ７が表示される。このメッセージ７は、利用者が勇気付け自信付けられるような内容のものであることが好ましく、例えば、「笑顔ができていますか？」、「今日も一日元気でネ！」、「あなたは素敵！」、「今日もいい一日となります！」、「今日のラッキータイムは○○：○○！」等が良い例である。また、前記メッセージ７としては、上記のようなものの他に、身だしなみをチェックするためのリストや、日替わりで内容が変わる格言等も好ましい例である。これにより、利用者は自分に向かいながら勇気付けまた自信付けられるような言葉を読むことができ、また携帯電話３を見ることができる状況にある時にはいつでもミラートレーニングを行うことができるようになるので、本システムは自己啓発のための大きな助けとなる。
【００１６】
【発明の効果】
以上のように、本発明よれば、利用者は携帯電話を鏡として利用できると共に、鏡としての利用時に表示されるメッセージによって勇気付けまた自信付けられる。また、携帯電話を見ることができる状況にある時にはいつでもミラートレーニングを行うことができるので、自己啓発のための大きな助けとなる。
【図面の簡単な説明】
【図１】図１は、本発明の自己啓発支援システムを実施するための全体的な構成を示す例である。
【図２】図２は、本発明の自己啓発支援システムの構成を示す図である。
【図３】図３は、本発明の自己啓発支援システムを実施する際の経時的流れを示す図である。
【図４】図４は、本発明の自己啓発支援システムの実施時における携帯電話のディスプレイの表示例を示す図である。
【符号の説明】
１  自己啓発支援システム
２  コンテンツ提供機関
３  携帯電話
４  通信ネットワーク
５  ディスプレイ
６  カメラ
７  メッセージ
１０  ミラー化手段
１１  メッセージ表示手段
【図１】
2004178146.tif 000003
【図２】
2004178146.tif 000004
【図３】
2004178146.tif 000005
【図４】
2004178146.tif 000006